(57)【特許請求の範囲】
【請求項１】
電池収容部と、印刷テープに印刷を行う印刷部と、を有するテープ印刷装置であって、
前記電池収容部は、収容部本体と、前記収容部本体の開放部を覆う蓋体と、を備え、
前記開放部は、前記収容部本体の底面に対峙する天面開放部と、前記収容部本体の底面と交差する四周壁の１の周壁に形成され、前記天面開放部に連なると共に前記底面または前記底面近傍に達する周面開放部と、を有し、
前記収容部本体は、前記周面開放部側から装着される二次電池の、電力を取り出す二次電池用端子、を有し、
前記収容部本体は、前記二次電池用端子に対峙し、前記二次電池の前記天面開放部側からの装着を阻む端子保護部を、有することを特徴とするテープ印刷装置。
【請求項２】
電池収容部と、印刷テープに印刷を行う印刷部と、を有するテープ印刷装置であって、
前記電池収容部は、収容部本体と、前記収容部本体の開放部を覆う蓋体と、を備え、
前記開放部は、前記収容部本体の底面に対峙する天面開放部と、前記収容部本体の底面と交差する四周壁のうち前記テープ印刷装置の手前側に設けられた１の周壁に形成され、前記天面開放部に連なると共に前記底面または前記底面近傍に達する周面開放部と、を有し、
前記テープ印刷装置の手前側の端部に設けられ、前記テープ印刷装置を保持するための持ち手部、を有し、
前記電池収容部には、二次電池が前記周面開放部から装着され、
前記周面開放部と前記持ち手部との間には、指挿入空間が設けられ、
前記周面開放部から装着される前記二次電池の装着方向において、前記指挿入空間の長さが前記二次電池の長さより短いことを特徴とするテープ印刷装置。
【請求項３】
一対の係止孔と、フック受けと、が設けられた装置ケース、を有し、
前記蓋体は、前記天面開放部を覆う天面覆装部と、前記周面開放部を覆う周面覆装部と、一対の係止突起と、フック片と、を有すると共に、
一対の前記係止突起を一対の前記係止孔に係止した状態で、前記フック片を前記フック受けに係脱することで開閉することを特徴とする請求項１または２に記載のテープ印刷装置。
【請求項４】
前記収容部本体は、前記二次電池の装着を案内する案内部を、有することを特徴とする請求項１ないし３のいずれか一項に記載のテープ印刷装置。
【請求項５】
前記収容部本体は、前記周面開放部から装着される前記二次電池の装着方向に延在すると共に、前記二次電池と前記底面との間に間隙を構成する電池支持部を、有していることを特徴とする請求項１ないし４のいずれか一項に記載のテープ印刷装置。
【請求項６】
前記電池収容部は、前記二次電池に代えて、且つ前記周面開放部から装着される前記二次電池の装着方向に直交する姿勢で、一次電池を装着可能に構成され、
前記収容部本体は、前記天面開放部側から装着される前記一次電池の、電力を取り出す一次電池用端子を、有することを特徴とする請求項１ないし５のいずれか一項に記載のテープ印刷装置。
【請求項７】
前記一次電池用端子は、前記１の周壁に交差する他の２つの周壁に設けられ、
前記他の２つの周壁には、前記二次電池の幅を隔てて前記一次電池用端子を保護する保護隔壁が突設されていることを特徴とする請求項６に記載のテープ印刷装置。
【請求項８】
前記一次電池用端子のプラス側端子は、前記他の周壁に窪入形成した浅溝に設けられていることを特徴とする請求項７に記載のテープ印刷装置。
【請求項９】
手持ちして操作されることを特徴とする請求項１ないし８のいずれか一項に記載のテープ印刷装置。
【発明の詳細な説明】
【技術分野】
【０００１】
本発明は、電池収容部を有するテープ印刷装置に関する。
【背景技術】
【０００２】
従来、この種の電子機器として、複数個の乾電池と１個の充電池とが択一的に収納可能な電池収納部を備えたラベル作成装置（電子機器）が知られている（特許文献１参照）。
この電池収納部は、６個の乾電池を俵積み状に収納可能に構成されると共に、乾電池に代えて充電池を長手方向が乾電池と直交するように収納可能に構成されている。俵積み状の６個の乾電池は、３列且つ２段に収納され、各列間には間隙が設けられている。装置本体の長さ方向に位置する電池収納部の第１側壁および第２側壁には、それぞれ第１凹部および第２凹部が形成されており、この両凹部に乾電池用の第１端子および第２端子が設けられている。一方、装置本体の幅方向に位置する電池収納部の２つの内壁部には、その一方に充電池用の板ばねが、他方に端子が設けられている。そして、乾電池は、上方から第１凹部および第２凹部に装着され、充電池は、上方から第１凹部および第２凹部の内側に装着される。
【先行技術文献】
【特許文献】
【０００３】
【特許文献１】特開２０１４−１６７８５３号公報
【発明の概要】
【発明が解決しようとする課題】
【０００４】
このような、従来の電子機器（ラベル作成装置）における電池収納部では、乾電池を引き抜く場合には、乾電池同士の間隙に指を入れて１つずつ引き抜くことになる。また、充電池を引き抜く場合には、乾電池用の第１凹部および第２凹部に指を差し入れて引き抜くことになる。これらの場合、指を差し入れる間隙が極めて狭いため、電池の取り出しが煩雑になる問題があった。
【０００５】
本発明は、電池の着脱を容易に行うことができる電池収容部を有する電子機器を提供することを課題としている。
【課題を解決するための手段】
【０００６】
本発明の電子機器は、電池収容部を有する電子機器であって、電池収容部は、収容部本体と、収容部本体の開放部を覆う蓋体と、を備え、開放部は、収容部本体の底面に対峙する天面開放部と、収容部本体の底面と交差する四周壁の１の周壁に形成され、天面開放部に連なると共に底面または底面近傍に達する周面開放部と、有することを特徴とする電子機器。
【０００７】
この構成によれば、天面開放部に連なる周面開放部が、収容部本体の底面または底面近傍に達するように形成されているため、周面開放部を介して、収容された電池の下側に容易に指を宛がうことができ、電池を収容部本体から簡単に離脱させることができる。すなわち、周面開放部は、天面開放部と同様に蓋体を外した状態で外部に開放されており、電池の着脱に際し、狭い空間に指を差し入れる等の煩雑な離脱動作を要しない。したがって、収容部本体に対し、電池の着脱を容易に行うことができる。
【０００８】
この場合、蓋体は、天面開放部を覆う天面覆装部と、周面開放部を覆う周面覆装部と、を有すると共に、開放部をスナップイン形式で開閉することが好ましい。
【０００９】
この構成によれば、天面覆装部および／または周面開放部の撓み（ばね性）を利用して、蓋体におけるスナップイン形式の開閉を行うことができる。すなわち、スナップインの開閉において、ばねストロークを長く執ることができ、蓋体の開閉を円滑に行うことができる。
【００１０】
これらの場合、電池収容部は、二次電池を装着可能に構成され、収容部本体は、周面開放部側から装着される二次電池の、電力を取り出す二次電池用端子、を有することが好ましい。
【００１１】
この構成によれば、二次電池に宛がった指の位置を大きく変えることなく、二次電池の着脱を行うことができる。したがって、収容部本体に対し、二次電池の着脱を容易に行うことができる。
【００１２】
この場合、収容部本体は、二次電池の装着を案内する案内部を、有することが好ましい。
【００１３】
この構成によれば、案内部により、収容部本体に対する二次電池の着脱を誤りなく円滑に行うことができる。
【００１４】
また、収容部本体は、二次電池用端子に対峙し、二次電池の天面開放部側からの装着を阻む端子保護部を、有することが好ましい。
【００１５】
この構成によれば、二次電池を、収容部本体に対し誤った方向から装着するのを、未然に防止することができる。
【００１６】
さらに、収容部本体は、二次電池の装着方向に延在すると共に、二次電池と底面との間に間隙を構成する電池支持部を、有していることが好ましい。
【００１７】
この構成によれば、二次電池の端部を把持したまま、その着脱を行うことができる。したがって、二次電池の着脱を容易に行うことができる。
【００１８】
また、周面開放部に対峙する指挿入空間を有し、電子機器を保持するための持ち手部を、更に備え、二次電池の装着方向において、指挿入空間の長さが二次電池の長さより短いことが好ましい。
【００１９】
この構成によれば、二次電池を勢い良く引き抜いたときに（離脱）、二次電池がいったん持ち手部に突き当たる。したがって、二次電池を引き抜いた勢いで、これが収容部本体から単純に落下してしまうのを防止することができる。また、周面開放部により予想される収容部本体の開き方向の強度低下を、持ち手部により十分に補うことができる。
【００２０】
一方、電池収容部は、二次電池に代えて且つ二次電池の装着方向に直交する姿勢で、一次電池を装着可能に構成され、収容部本体は、天面開放部側から装着される一次電池の、電力を取り出す一次電池用端子を、有することが好ましい。
【００２１】
この構成によれば、二次電池に代えて装着される一次電池において、周面開放部と一次電池とが平行に位置するため、その着脱を容易に行うことができる。特に、複数本の一次電池が装着される場合には、周面開放部を利用してこれらを一括して離脱させることができる。
【００２２】
この場合、一次電池の装着方向における長さに対し、装着方向に交差する方向における二次電池の長さが短く形成され、一次電池用端子は、１の周壁に交差する他の２つの周壁に設けられ、他の２つの周壁には、二次電池の幅を隔てて一次電池用端子を保護する保護隔壁が突設されていることが好ましい。
【００２３】
この構成によれば、保護隔壁により、着脱時の二次電池が一次電池用端子に干渉することがなく、二次電池の着脱に際し一次電池用端子が損傷するのを、有効に防止することができる。また、保護隔壁を、二次電池の着脱におけるガイドとしても機能させることができる。
【００２４】
この場合、一次電池用端子のプラス側端子は、他の周壁に窪入形成した浅溝に設けられていることが好ましい。
【００２５】
この構成によれば、極性を誤って一次電池を装着した場合、一次電池のマイナス極と一次電池用端子のプラス側端子とが導通することがなく、一次電池の短絡を防止することができる。
【００２６】
また、印刷テープに印刷を行う印刷部を、更に備え、手持ちして操作されることが好ましい。
【００２７】
この構成によれば、電池の着脱を容易に行うことができる電池収容部を有するため、取扱い性を向上させることができる。
【図面の簡単な説明】
【００２８】
【図１】実施形態に係るテープ印刷装置を斜め上方から見た外観斜視図である。
【図２】実施形態に係るテープ印刷装置を斜め下方から見た外観斜視図である。
【図３】実施形態に係るテープ印刷装置の長手方向の断面図である。
【図４】電池収容部を左斜め上方から見た斜視図（ａ）、および右斜め上方から見た斜視図（ｂ）である。
【図５】充電池を装着した状態の電池収容部の斜視図（ａ）、乾電池を装着した状態の電池収容部の斜視図（ｂ）である。
【発明を実施するための形態】
【００２９】
以下、添付の図面を参照して、本発明の一実施形態に係る電子機器をテープ印刷装置に適用した場合について説明する。このテープ印刷装置は、例えば端子台におけるケーブルの系統を表示するためのラベルを作成するものであり、作業現場において手持ちして操作できるように小型縦長に形成されている。テープ印刷装置には、印刷テープを搭載したテープカートリッジが着脱自在に装着され、テープ印刷装置は、テープカートリッジから印刷テープを繰り出しながら印刷を行うと共に、印刷テープの印刷済み部分を切り離してラベルを作成する。
【００３０】
［テープ印刷装置の全体構成］
図１は、テープ印刷装置を斜め上方から見た外観斜視図、図２は、テープ印刷装置を斜め下方から見た外観斜視図、図３は、テープ印刷装置の長手方向の断面図である。これらの図に示すように、テープ印刷装置１は、厚肉幅広に形成された先端側の主機構部２と、主機構部２の基端側に連なり、主機構部２より薄肉幅狭に形成されたハンドリング部３と、ハンドリング部３の基端側に連なる持ち手部４と、で縦長に且つ一体に形成されている。縦長に形成されたテープ印刷装置１は、ハンドリング部３で、片手或いは両手で手持ちされ操作される。また、テープ印刷装置１は、持ち手部４を利用して持ち運びされる。
【００３１】
主機構部２の表側には、ディスプレイ部７が広く設けられると共に、ディスプレイ部７に隣接して副キーボード部８が設けられている。また、主機構部２には、テープカートリッジ９を着脱自在に装着するためのカートリッジ装着部１０が、窪入形成されると共に、カートリッジ装着部１０を開閉する開閉蓋１１が設けられている（図３参照）。本実施形態のものは、ディスプレイ部７および副キーボード部８が、この開閉蓋１１の表側に設けられている。また、カートリッジ装着部１０廻りには、テープカートリッジ９から印刷テープ１２を繰り出すと共にこれに印刷を行う印刷部１３が内蔵されている（図３参照）。
【００３２】
主機構部２の左側面には、印刷部１３により、印刷テープ１２の印刷済み部分が排出されるテープ排出口１５が設けられている。また、テープ排出口１５とカートリッジ装着部１０との間には、印刷テープ１２の印刷済み部分を切り離すカッター１６が内蔵されている（図１参照）。さらに、テープ排出口１５の近傍には、カートリッジ装着部１０に装着したテープカートリッジ９を視認するための、覗き窓１７が設けられている。一方、主機構部２の右側面には、電源コネクター１８が設けられている（図２参照）。
【００３３】
ハンドリング部３の表側には、文字キー２２やカーソルキー２３等を配置した主キーボード部２１が設けられている（図１参照）。また、ハンドリング部３の裏側には、電源となる電池が収容される電池収容部３０が配設されている。さらに、ハンドリング部３の右側面には、ＵＳＢコネクター２８が設けられている（図２参照）。
【００３４】
次に、図２および図３を参照して、電池収容部３０の概要を説明すると共に、図４および図５を参照して、電池収容部３０の詳細を説明する。なお、以降の説明では、これらの図面に倣って図面上の上側を「上」とし、下側を「下」とする。また、図面上の右側を「右」、左側を「左」、手前側を「正面」、奥側を「背面」とする。
【００３５】
［電池収容部の概要］
図２および図３に示すように、電池収容部３０は、電池Ｂが収容される収容部本体３１と、収容部本体３１の開放部３２を開閉自在に覆う電池蓋３３（蓋体）とを備えている。開放部３２は、上側の天面開放部３５と、手前側の正面開放部３６（周面開放部）とを有しており、電池蓋３３は、この天面開放部３５および正面開放部３６に倣った形状に形成されている。
【００３６】
収容部本体３１には、常時は二次電池である充電池Ｂ１が着脱自在に装着されるが、充電池Ｂ１に代えて、一次電池である複数本（実施形態のものは、６本）の乾電池Ｂ２も着脱可能に構成されている（図５参照）。すなわち、本実施形態のテープ印刷装置１は、充電池Ｂ１を電源とするが、作業現場で充電池Ｂ１の電池切れ等が発生した場合に、乾電池Ｂ２で駆動させ得るようになっている。収容部本体３１に対し充電池Ｂ１は、手前側となる正面開放部３６から装着される一方、６本の乾電池Ｂ２は、上側となる天面開放部３５から装着される。すなわち、充電池Ｂ１は、奥行方向にスライドさせるようにして着脱され、６本の乾電池Ｂ２は、これに交差する上下方向に着脱される。
【００３７】
電池蓋３３は、天面開放部３５を覆う天面覆装部４１と、正面開放部３６を覆う正面覆装部４２（周面覆装部）とで、断面「Ｌ」字状に一体に形成されている。天面覆装部４１の奥側外端部には、一対の係止突起４４が設けられており、この一対の係止突起４４は、装置ケース５に形成された一対の係止孔４５に係止される。同様に、正面覆装部４２の手前側外端部には、下向きのフック片４６が設けられており、このフック片４６は、装置ケース５に形成されたフック受け４７に係止される（図３参照）。
【００３８】
電池蓋３３は、一対の係止突起４４を一対の係止孔４５に係止した状態で、フック片４６をフック受け４７に係脱することで開閉される。すなわち、電池蓋３３は、収容部本体３１に対し、スナップイン形式で開閉される。なお、収容部本体３１は、４箇所で装置ケース５にねじ止めされている。また、天面覆装部４１の表面には、ハンドリング部３を手持ちしたときに滑り止めとなる矩形浅溝部４８が形成されている。同様に、正面覆装部４２の表面には、電池蓋３３の開閉に際し、指を掛けるための指掛け部４９が形成されている。
【００３９】
一方、充電池Ｂ１は、例えばリチウムイオンバッテリーで構成されている。充電池Ｂ１の先端部裏面には、電極が露出するように設けられ。先端部両側面には、充電池Ｂ１の着脱をガイドする一対の案内溝が設けられている（いずれも、図示省略）。また、充電池Ｂ１の基端部表面には、充電池Ｂ１を把持するための指掛け溝Ｂ１ａが形成されている。詳細は後述するが、充電池Ｂ１は、着脱に際し、基端部の表裏両面で把持できるようになっている。
【００４０】
［電池収容部の詳細］
図４および図５に示すように、収容部本体３１は、左右の側壁部５１と、両側壁部５１の下端間に渡した底壁部５２と、背面側の奥壁部５３とを有している。両側壁部５１、底壁部５２および奥壁部５３は、樹脂等で一体に形成されおり、これら両側壁部５１、底壁部５２および奥壁部５３と、電池蓋３３とにより、電池Ｂを収容する収容空間５４が構成とされている（図３参照）。なお、収容部本体３１は、成形の複雑さから奥壁部５３側を別体とし、２部材で構成することも可能である。
【００４１】
また、収容部本体３１は、奥側において両側壁部５１の上端間に渡すように設けた庇状板部５５（端子保護部）を有している。庇状板部５５は、両側壁部５１と一体に形成され、両側壁部５１の開きに対する補強材として機能する一方、詳細は後述するが、充電池Ｂ１の天面開放部３５側からの誤った装着を阻止する。また、底壁部５２の手前側端部には、正面開放部３６に連なる凹入部５７が設けられており、この凹入部５７には、閉塞状態における電池蓋３３のフック片４６が臨むようになっている（図３参照）。
【００４２】
図４に示すように、収容部本体３１の奥側には、底壁部５２の一部を嵩上げした台座部６１が設けられている。そして、この台座部６１と、両側壁部５１の両奥側壁６２と、奥壁部５３と、上記の庇状板部５５とで構成される袋状の空間が、充電池Ｂ１の先端部と相補的形状に形成されている。台座部６１の表面には、充電池用端子６３（二次電池用端子）が設けられている。また、側壁部５１の両奥側壁６２には、上記充電池の案内溝に係合する一対の案内突起６４（案内部）が設けられている。
【００４３】
充電池Ｂ１を手前側からスライドさせてゆくと、充電池Ｂ１のガイド溝に案内突起６４が係合して、装着が案内される。この状態で、充電池Ｂ１の先端を奥壁部５３に突き当てる（完全装着）と、充電池用端子６３に充電池Ｂ１の電極が接触し導通する。装着状態で充電池Ｂ１は、電極を介して、充電池用端子６３から上方への付勢力を受けるが、この付勢力は、案内溝に係合している案内突起６４により受けられる。
【００４４】
庇状板部５５は、充電池用端子６３の上方に、これに対面するように位置している。庇状板部５５は、充電池Ｂ１を上側から装着しようとしたときに邪魔板として機能し、充電池Ｂ１が、収容部本体３１に対し誤った方向から装着されるのを、未然に防止する。また、奥壁部５３の中央には、検出スイッチ６５（例えば、マイクロスイッチ）が設けられている。充電池Ｂ１が完全装着されると、充電池Ｂ１の先端が検出スイッチ６５をＯＮし、充電池Ｂ１の装着が検出される。
【００４５】
収容部本体３１の手前側には、側壁部５１と底壁部５２とのコーナー部分に、一対の電池支持部６７が設けられている。電池支持部６７は、上記の台座部６１と同様に、底壁部５２の一部を嵩上げするように設けられており、電池支持部６７の表面（上面）と台座部６１の表面（上面）とは、略同一高さに配設されている（図３参照）。充電池Ｂ１の実際の装着動作は、正面開放部３６と上記の持ち手部４との間の指挿入空間６を利用し、充電池Ｂ１の先端側をいったん両電池支持部６７に着座させてからスライド装着の手順となる。また、充電池Ｂ１の実際の離脱動作は、逆の手順となる。
【００４６】
両電池支持部６７は、両電池支持部６７間における底壁部５２の底面６８に対し嵩上げさており、この底壁部５２の底面６８と電池支持部６７に着座させた充電池Ｂ１との間には、上記の凹入部５７に連なる浮き空間６９が生ずる（図５（ａ）参照）。すなわち、充電池Ｂ１は、底壁部５２の底面６８から浮いた状態で、両電池支持部６７に支持されることになる。特に、充電池Ｂ１の離脱動作において、上記充電池Ｂ１の指掛け溝Ｂ１ａに指を当てて引き抜くこともできるが、指掛け溝Ｂ１ａに宛がった指と浮き空間に差し入れた指とで、充電池Ｂ１の手前側端部を把持して引き抜くことが好ましい。
【００４７】
一方、充電池Ｂ１の上記の着脱動作を行うために、奥行方向（着脱方向）において、指挿入空間６の長さが充電池Ｂ１の長さより短くなっている（図３参照）。これにより、充電池Ｂ１を、いったん両電池支持部６７に着座させてからスライド装着、或いは逆の手順でスライド離脱することが可能となる。また、上記のガイド溝およびガイド突起６４も、この着脱動作を考慮した長さに形成されている。もっとも、ユーザーによっては、充電池Ｂ１を勢い良く引き抜いくことも想定される。この場合、引き抜かれた充電池Ｂ１は、持ち手部４に突き当たることになる。このため、充電池Ｂ１を引き抜いた勢いで、これが収容部本体３１から落下してしまうのを防止することができる。
【００４８】
上述のように、本実施形態の電池収容部３０は、充電池Ｂ１に代えて且つ充電池Ｂ１の装着方向に交差する姿勢で、６本の乾電池Ｂ２を装着可能に構成されている（図５（ｂ）参照）。この場合、６本の乾電池Ｂ２は、２段積み且つ３列で装着される。このため、両側壁部５１（２つの周壁）には、横並びに各３個、計６個の乾電池用端子７１（一次電池用端子）が設けられている。各乾電池用端子７１は、凸状のプラス端子７１ａと、板ばね状のマイナス端子７１ｂとで一体に形成されている（直列接続）。すなわち、一方（左側）の側壁部５１には、プラス端子７１ａを上側にして３つの乾電池用端子７１が横並びに配設され（図４（ｂ））、他方（右側）の側壁部５１には、マイナス端子７１ｂを上側にして３つの乾電池用端子７１が配設されている（図４（ａ））。
【００４９】
また、乾電池用端子７１は、各側壁部５１の内面に形成した縦長の浅溝７３内に嵌合するように配設されている。この場合、浅溝７３の深さ寸法は、プラス端子７１ａの突出寸法より大きく形成されており、極性を誤って装着した乾電池Ｂ２が導通しないようになっている。
【００５０】
両側壁部５１には、充電池Ｂ１の幅分の間隙を隔てて設けられ、左右の乾電池用端子７１を保護する、各４枚、計８枚の保護隔壁７４が突設されている。すなわち、各側壁部５１には、３つの乾電池用端子７１を内在するように２枚の保護隔壁７４が突設されている。この場合、保護隔壁７４の突出寸法は、プラス端子７１ａは元よりマイナス端子７１ｂの突出寸法より大きく形成されている。
【００５１】
すなわち、保護隔壁７４の先端は、マイナス端子７１ｂの先端を越えて突出している。これにより、充電池Ｂ１の着脱に際し、充電池Ｂ１が乾電池用端子７１に干渉することがなく、またユーザーの指等が乾電池用端子７１に簡単に触れないようになっている（乾電池用端子７１の破損防止）。また、充電池Ｂ１の幅分の間隙を隔てて設けられた保護隔壁７４は、その先端が充電池Ｂ１の着脱ガイドとしても機能する。
【００５２】
底壁部５２には、上記の台座部６１と電池支持部６７との間において、下段の乾電池Ｂ２の長手方向両端部を支持する３箇所の電池着座部７５が設けられている。各電池着座部７５は、乾電池Ｂ２の周面に合わせて円弧状に形成されており、３箇所の電池着座部７５は、奥行き方向に連続するように設けられている。なお、収容部本体３１の四隅には、収容部本体３１を装置ケース５にねじ止めするためのボス部８１が設けられている。また、側壁部５１の外面には、一対のフック部８２が設けられており、一対のフック部８２は、電池収容部３０の下側に配設した電源基板（図示省略）を左右両側から抱え込むように係止している（いずれも、図４参照）。
【００５３】
以上のように、本実施形態によれば、天面開放部３５に連なる正面開放部３６が、収容部本体３１の底面６８まで達しているため、正面開放部３６を介して、収容された電池Ｂ（充電池Ｂ１および乾電池Ｂ２）の下側に容易に指を宛がうことができ、電池Ｂを収容部本体３１から簡単に離脱させることができる。すなわち、正面開放部３６は、天面開放部３５と同様に電池蓋３３を外した状態で外部に大きく開放されており、電池Ｂの着脱に際し、狭い空間に指を差し入れる等の煩雑な離脱動作を要しない。したがって、収容部本体３１に対し、電池Ｂの着脱を容易に行うことができる。
【００５４】
特に、装着した充電池Ｂ１が、凹入部５７に連なる浮き空間６９が生ずるように、一対の電池支持部６７により支持されるため、充電池Ｂ１の着脱を容易に行うことができる。しかも、正面開放部３６および持ち手部４の指挿入空間６を、充電池Ｂ１の着脱における大まかな装着ガイドとして機能させることができ、且つ持ち手部４を、引き抜いた充電池Ｂ１の落下防止部品として機能させることができる。
【００５５】
なお、正面開放部３６の下端は、電池Ｂへの指掛けが阻害されない限りにおいて、収容部本体３１の底面６８から幾分突出していてもよい。同様に、正面開放部３６の幅は、電池Ｂへの指掛けが阻害されない限りにおいて、実施形態のものより幅狭であってもよい。
【符号の説明】
【００５６】
１  テープ印刷装置、４  持ち手部、５  装置ケース、６  指挿入空間、１３  印刷部、３０  電池収容部、３１  収容部本体、３２  開放部、３３  電池蓋、３５  天面開放部、３６  正面開放部、４１  天面覆装部、４２  正面覆装部、５１  側壁部、５２  底壁部、５３  奥壁部、５５  庇状板部、６１  台座部、６３  充電池用端子、６４  案内突起、６７  電池支持部、６８  底面、６９  浮き空間、７１  乾電池用端子、７１ａ  プラス端子、７１ｂ  マイナス端子、７３  浅溝、７４  保護隔壁、Ｂ  電池、Ｂ１  充電池、Ｂ２  乾電池
【図１】
0006520176.tif 000002
【図２】
0006520176.tif 000003
【図３】
0006520176.tif 000004
【図４】
0006520176.tif 000005
【図５】
0006520176.tif 000006